(57)【要約】【課題】フォルダに格納された画像データを配信する画像処理システムにおいて、いかなる機器が接続された場合でもシステム利用を適切に制限すること。【解決手段】画像データを格納する格納手段２０１から画像データを取得して、該画像データを配信する画像処理装置であって、格納手段に格納された画像データを取得するため監視を行う監視手段３２１と、監視手段により監視される格納手段を設定する設定手段３２５と、設定手段により設定された格納手段の数が所定値以内であれば、該格納手段を監視対象として設定する監視設定手段３２８と、監視設定手段により設定された格納手段から画像データを取得する取得手段３２２と、取得手段により取得された画像データに対し、１以上の処理の流れを定義する処理フローに従って、１以上の処理の適用を制御するフロー制御手段３０５とを備える。【選択図】図６
2010278923.tif 000002
【特許請求の範囲】
【請求項１】
画像データを格納する格納手段から画像データを取得して、該画像データを配信する画像処理装置であって、
前記格納手段に格納された画像データを取得するため監視を行う監視手段と、
前記監視手段により監視される格納手段を設定する設定手段と、
前記設定手段により設定された格納手段の数が所定値以内であれば、該格納手段を監視対象として設定する監視設定手段と、
前記監視設定手段により設定された格納手段から前記画像データを取得する取得手段と、
前記取得手段により取得された画像データに対し、１以上の処理の流れを定義する処理フローに従って、前記１以上の処理の適用を制御するフロー制御手段と
を備える画像処理装置。
【請求項２】
前記格納手段に係る機能を実現させるためのプログラムが当該画像処理装置にインストールされた場合、インストールされたプログラムの識別子を管理する管理手段をさらに備え、
前記所定値は、
前記管理手段により管理されるプログラムの識別子の数に応じて決まる請求項１記載の画像処理装置。
【請求項３】
画像データを格納する格納手段から画像データを取得して、該画像データを配信する画像処理装置であって、
前記格納手段に格納された画像データを取得するため監視を行う監視手段と、
監視対象の前記格納手段に格納された画像データを取得する取得手段と、
前記取得手段により画像データを取得する際、該画像データに関するデータが所定値以下であるか否かを判定する判定手段と、
前記判定手段により前記所定値以下であると判定された場合、前記取得手段により取得された画像データに対し、１以上の処理の流れを定義する処理フローに従って、前記１以上の処理の適用を制御するフロー制御手段と
を備える画像処理装置。
【請求項４】
前記画像データに関するデータは、所定期間内に取得した画像データのファイルの総数であり、
前記所定値は、前記所定期間内に処理可能なファイル数である請求項３記載の画像処理装置。
【請求項５】
前記画像データに関するデータは、所定期間内に取得した画像データのサイズの総数であり、
前記所定値は、前記所定期間内に処理可能なサイズ数である請求項３記載の画像処理装置。
【請求項６】
前記画像データに関するデータは、所定期間内に取得した画像データのページの総数であり、
前記所定値は、前記所定期間内に処理可能なページ数である請求項３記載の画像処理装置。
【請求項７】
前記格納手段に係る機能を実現させるためのプログラムが当該画像処理装置にインストールされた場合、インストールされたプログラムの識別子を管理する管理手段をさらに備え、
前記所定値は、
前記管理手段により管理されるプログラムの識別子の数に応じて決まる請求項３乃至６いずれか一項に記載の画像処理装置。
【請求項８】
画像データを格納する格納手段から画像データを取得して、該画像データを配信する画像形成装置であって、
前記格納手段に格納された画像データを取得するため監視を行う監視手段と、
前記監視手段により監視される格納手段を設定する設定手段と、
前記設定手段により設定される格納手段の数が所定値以内であれば、該格納手段を監視対象として設定する監視設定手段と、
前記監視設定手段により設定された格納手段から前記画像データを取得する取得手段と、
前記取得手段により取得された画像データに対し、１以上の処理の流れを定義する処理フローに従って、前記１以上の処理の適用を制御するフロー制御手段と
を備える画像形成装置。
【請求項９】
前記格納手段に係る機能を実現させるためのプログラムが当該画像形成装置にインストールされた場合、インストールされたプログラムの識別子を管理する管理手段をさらに備え、
前記所定値は、
前記管理手段により管理されるプログラムの識別子の数に応じて決まる請求項８記載の画像形成装置。
【請求項１０】
画像データを格納する格納手段から画像データを取得して、該画像データを配信する画像形成装置であって、
前記格納手段に格納された画像データを取得するため監視を行う監視手段と、
監視対象の前記格納手段に格納された画像データを取得する取得手段と、
前記取得手段により画像データを取得する際、該画像データに関するデータが所定値以下であるか否かを判定する判定手段と、
前記判定手段により前記所定値以下であると判定された場合、前記取得手段により取得された画像データに対し、１以上の処理の流れを定義する処理フローに従って、前記１以上の処理の適用を制御するフロー制御手段と
を備える画像形成装置。
【請求項１１】
前記画像データに関するデータは、所定期間内に取得した画像データのファイルの総数であり、
前記所定値は、前記所定期間内に処理可能なファイル数である請求項１０記載の画像形成装置。
【請求項１２】
前記画像データに関するデータは、所定期間内に取得した画像データのサイズの総数であり、
前記所定値は、前記所定期間内に処理可能なサイズ数である請求項１０記載の画像形成装置。
【請求項１３】
前記画像データに関するデータは、所定期間内に取得した画像データのページの総数であり、
前記所定値は、前記所定期間内に処理可能なページ数である請求項１０記載の画像形成装置。
【請求項１４】
前記格納手段に係る機能を実現させるためのプログラムが当該画像形成装置にインストールされた場合、インストールされたプログラムの識別子を管理する管理手段をさらに備え、
前記所定値は、
前記管理手段により管理されるプログラムの識別子の数に応じて決まる請求項１０乃至１３いずれか一項に記載の画像形成装置。
【請求項１５】
ネットワークに接続された画像形成装置と画像処理装置とを備える画像処理システムであって、
前記画像形成装置は、
画像を読み込み、画像データを取得する画像読込手段と、
前記画像読込手段により取得された画像データを格納手段に送信する送信手段とを備え、
前記画像処理装置は、
前記格納手段に格納された画像データを取得するため監視を行う監視手段と、
前記監視手段により監視される格納手段を設定する設定手段と、
前記設定手段により設定された格納手段の数が所定値以内であれば、該格納手段を監視対象として設定する監視設定手段と、
前記監視設定手段により設定された格納手段から前記画像データを取得する取得手段と、
前記取得手段により取得された画像データに対し、１以上の処理の流れを定義する処理フローに従って、前記１以上の処理の適用を制御するフロー制御手段と
を備える画像処理システム。
【請求項１６】
画像データを格納する格納手段から画像データを取得して、該画像データを配信する画像処理装置における画像処理方法であって、
前記画像データを取得するための監視手段に監視される格納手段を設定する設定ステップと、
前記設定ステップにより設定された格納手段の数が所定値以内であれば、該格納手段を監視対象として設定する監視設定ステップと、
前記監視設定ステップにより設定された格納手段から前記画像データを取得する取得ステップと、
前記取得ステップにより取得された画像データに対し、１以上の処理の流れを定義する処理フローに従って、前記１以上の処理の適用を制御するフロー制御ステップと
を有する画像処理方法。
【請求項１７】
画像データを格納する格納手段から画像データを取得して、該画像データを配信する画像処理装置としてのコンピュータに、
前記画像データを取得するための監視手段に監視される格納手段を設定する設定ステップと、
前記設定ステップにより設定された格納手段の数が所定値以内であれば、該格納手段を監視対象として設定する監視設定ステップと、
前記監視設定ステップにより設定された格納手段から前記画像データを取得する取得ステップと、
前記取得ステップにより取得された画像データに対し、１以上の処理の流れを定義する処理フローに従って、前記１以上の処理の適用を制御するフロー制御ステップと
を実行させるためのプログラム。
【請求項１８】
請求項１７記載のプログラムを記録したコンピュータ読み取り可能な記録媒体。
【発明の詳細な説明】
【技術分野】
【０００１】
本発明は、画像処理装置、画像形成装置、画像処理システム、画像処理方法、プログラム、及び記録媒体に関する。
【背景技術】
【０００２】
近年、多くの企業において、多機能複合機などの画像入出力機器のネットワーク上への配置・接続が進んでいる。画像入出力機器は、業務の効率化を図る手段として大きな役割を担っている。特に、紙画像の電子化と配布を効率的に行う画像処理システムが重要になっている。画像処理システムを構成する大きな要素は、画像入出力機器（例えばスキャナ、ＭＦＰなど）と画像配信サーバ（画像処理サーバ）である。画像配信サーバには、あらかじめさまざまな業務・用途にあわせた複数の配信設定（処理フロー）メニューが登録されている。利用者は、画像入出力機器のオペレーションパネル（操作部）から、業務に適した処理フローを選択してスキャンを行う。
【０００３】
例えば、特開２００６−０１８６４０号公報（特許文献１）には、配信処理や画像変換処理をプラグイン化し、ユーザや管理者がそれらプラグインを任意に組み合わせて入力、画像変換、出力の処理フローを作成し、作成した処理フローを利用して画像データの配信処理を行う技術が開示されている。
【０００４】
一方、前述した処理フローに従って配信処理する画像処理システムにおいて、ドキュメントソリューションによるビジネスで考えた場合に、画像処理システムに接続された画像入力装置（入力デバイス）１台あたり幾らといったデバイスライセンスという考え方で料金を設定する方法がある。
【０００５】
また、その他のライセンス方式として、例えば、特開２００５−３５２９０２号公報（特許文献２）には、カウンタ機能を有し、カウンタ値が限界値に達した場合に機能の制限を行う複写機が開示されている。具体的には、複写機の機器シリアル番号と新たな限界値を含むライセンス情報を入力すると、入力されたライセンス情報が有効であるか否かを判定し、有効であると判定された場合、保持されている限界値をライセンス情報に含まれる新たな限界値に更新する。
【発明の概要】
【発明が解決しようとする課題】
【０００６】
しかしながら、画像処理システムに接続できる入力デバイスは規定のプラットフォームに対応した機器である必要がある。よって、デバイスライセンスの考えによると、規定のプラットフォームに未対応の機器が画像処理システムに接続されている場合に、料金の設定が難しい。
【０００７】
また、近年、ＭＦＰはデジタル化され、入力された画像データをＷｉｎｄｏｗｓ（登録商標）の共有フォルダに書き出す機能を備えることができる。前述した画像処理システムにおいて、共有フォルダにファイルが記憶されたことを検知して、ファイルに対してデータ処理を行うような機能（ＨｏｔＦｏｌｄｅｒ機能）を備えることで、規定のプラットフォームに未対応の機器でも当該画像処理システムの利用を間接的に行うことができる。かかる場合に、共有フォルダを用いれば当該画像処理システムを自由に利用できてしまうという問題が発生する。
【０００８】
よって、ＨｏｔＦｏｌｄｅｒ機能を用いた画像処理システムにおいて、規定のプラットフォームに未対応の機器にも当該画像システムを利用させ、かつ、当該画像システムの自由な利用を制限するシステムが望まれている。
【０００９】
そこで、フォルダに格納された画像データを配信する画像処理システムにおいて、いかなる画像入力機器が接続された場合でもシステム利用を適切に制限することができる画像処理装置、画像形成装置、画像処理システム、画像処理方法、プログラム、及び記録媒体を提供することを目的とする。
【課題を解決するための手段】
【００１０】
本発明における一局面の画像処理装置は、画像データを格納する格納手段から画像データを取得して、該画像データを配信する画像処理装置であって、前記格納手段に格納された画像データを取得するため監視を行う監視手段と、前記監視手段により監視される格納手段を設定する設定手段と、前記設定手段により設定された格納手段の数が所定値以内であれば、該格納手段を監視対象として設定する監視設定手段と、前記監視設定手段により設定された格納手段から前記画像データを取得する取得手段と、前記取得手段により取得された画像データに対し、１以上の処理の流れを定義する処理フローに従って、前記１以上の処理の適用を制御するフロー制御手段とを備える。
【００１１】
また、本発明における他の局面の画像形成装置は、画像データを格納する格納手段から画像データを取得して、該画像データを配信する画像形成装置であって、前記格納手段に格納された画像データを取得するため監視を行う監視手段と、前記監視手段により監視される格納手段を設定する設定手段と、前記設定手段により設定された格納手段の数が所定値以内であれば、該格納手段を監視対象として設定する監視設定手段と、前記監視設定手段により設定された格納手段から前記画像データを取得する取得手段と、前記取得手段により取得された画像データに対し、１以上の処理の流れを定義する処理フローに従って、前記１以上の処理の適用を制御するフロー制御手段とを備える。
【００１２】
また、本発明における他の局面の画像処理システムは、ネットワークに接続された画像形成装置と画像処理装置とを備える画像処理システムであって、前記画像形成装置は、画像を読み込み、画像データを取得する画像読込手段と、前記画像読込手段により取得された画像データを格納手段に送信する送信手段とを備え、前記画像処理装置は、前記格納手段に格納された画像データを取得するため監視を行う監視手段と、前記監視手段により監視される格納手段を設定する設定手段と、前記設定手段により設定された格納手段の数が所定値以内であれば、該格納手段を監視対象として設定する監視設定手段と、前記監視設定手段により設定された格納手段から前記画像データを取得する取得手段と、前記取得手段により取得された画像データに対し、１以上の処理の流れを定義する処理フローに従って、前記１以上の処理の適用を制御するフロー制御手段とを備える。
【００１３】
また、本発明における他の局面の画像処理方法は、画像データを格納する格納手段から画像データを取得して、該画像データを配信する画像処理装置における画像処理方法であって、前記画像データを取得するための監視手段に監視される格納手段を設定する設定ステップと、前記設定ステップにより設定される格納手段の数が所定値以内であれば、該格納手段を監視対象として設定する監視設定ステップと、前記監視設定ステップにより設定された格納手段から前記画像データを取得する取得ステップと、前記取得ステップにより取得された画像データに対し、１以上の処理の流れを定義する処理フローに従って、前記１以上の処理の適用を制御するフロー制御ステップとを有する。
【００１４】
また、本発明の画像処理システム、画像処理装置、画像形成装置及び画像処理方法は、コンピュータにより実行可能なプログラムにより実現することができ、また、プログラムを記録した記録媒体をコンピュータに読み取らせて実現することも可能である。
【発明の効果】
【００１５】
本発明によれば、フォルダに格納された画像データを配信する画像処理システムにおいて、いかなる画像入力機器が接続された場合でもシステム利用を適切に制限することができる画像処理装置、画像形成システム、画像処理システム、画像処理方法、プログラム、及び記録媒体を提供することができる。
【図面の簡単な説明】
【００１６】
【図１】実施例１に係る画像処理システムの一例を示す図。
【図２】実施例１に係るＭＦＰのハードウェア構成の一例を示す図。
【図３】実施例１に係る画像処理サーバのハードウェア構成の一例を示す図。
【図４】実施例１におけるシステムの機能構成を説明するブロック図。
【図５】プロジェクトの一例を示す図。
【図６】データ入力部の詳細な機能の一例を示すブロック図。
【図７】監視設定画面の一例を示す図。
【図８】実施例１における監視フォルダ設定処理の一例を示すフローチャート。
【図９】実施例１におけるファイル監視処理の一例を示すフローチャート。
【図１０】実施例１におけるソフトウェアインストール処理の一例を示すフローチャート。
【図１１】実施例２におけるシステムの機能構成を説明するブロック図。
【図１２】実施例２におけるファイル監視処理（ファイル総数）の一例を示すフローチャート。
【図１３】実施例２におけるファイル監視処理（ファイルサイズ総数）の一例を示すフローチャート。
【図１４】実施例２におけるファイル監視処理（ファイルページ総数）の一例を示すフローチャート。
【発明を実施するための形態】
【００１７】
以下に添付図面を参照して、本発明にかかる画像処理装置、画像形成装置、画像処理システム、画像処理方法、プログラム及び記録媒体の実施例を詳細に説明する。
【００１８】
また、以下に示す実施例では、画像データを入力する画像入力装置として、プリンタ機能、スキャナ機能、コピー機能、ファクシミリ機能を一つの筐体に搭載した複合機を例にあげて説明しているが、これに限定されるものではなく、画像データを入力可能であれば、スキャナ装置、ファクシミリ装置、コピー装置などいずれにも適用することができる。
【００１９】
［実施例１］
＜システム構成とハードウェア構成＞
図１は、実施例１に係る画像処理システムの一例を示す図である。図１に示すように、画像処理システムは、ネットワークを介してＭＦＰ（Multifunction Peripheral）１０、ファイルサーバ２０、画像処理サーバ３０、画像管理サーバ４０が接続されている。なお、図１に示す例以外にも、情報処理端末（例えば、ＰＣ（Personal Computer）、ＰＤＡ（Personal Data Assistance）など）が接続されても良い。また、図１に示す例において、各サーバは別の装置として存在しているが、同一装置として存在しても良い。以下、画像形成装置はＭＦＰを例にして説明する。
【００２０】
ＭＦＰ１０は、スキャン機能、コピー機能、プリンタ機能、ファクシミリ機能などを一つの筐体に搭載したものである。ＭＦＰ１０は、スキャナ機能により紙媒体等をスキャン処理して画像データを生成し、生成された画像データをファイルサーバ２０に送信する。また、ＭＦＰ１０には、画像処理サーバ（配信サーバ）３０が提供する画像配信機能を利用するための専用アプリケーションがインストールされているとする。ＭＦＰの詳細については後述する。また、画像データは、文書画像データを含む。
【００２１】
ファイルサーバ２０は、画像入力装置（ＭＦＰ１０など）から入力される画像データを格納する共有フォルダを有する。
【００２２】
画像処理サーバ３０は、共有フォルダを監視することにより画像データを取得して、指定された処理フローに従って種々の処理や配信処理を実行するワークステーション等のコンピュータである。処理フローについては後述する。
【００２３】
また、画像処理サーバ３０は、入力された画像データに基づいて処理フローを実行する配信サーバであり、ユーザによって構築された処理フローに従って画像の蓄積又は配信処理を実行する。即ち、画像を処理するという観点において、画像処理サーバ３０も画像処理装置として機能する。画像処理サーバ３０の詳細については後述する。なお、画像処理サーバ３０は、ＭＦＰ１０に組み込まれてもよい。
【００２４】
画像管理サーバ４０は、画像処理サーバ３０から配信される画像を管理するサーバである。なお、画像管理サーバ４０は、画像処理サーバ３０と別構成である必要はなく、画像処理サーバ３０に組み込まれてもよい。
【００２５】
また、図１に示す例では、画像入力装置としてのＭＦＰ１０は１つしか接続されていないが、１つに限定されず、複数の画像入力装置が接続されていても良い。また、画像処理サーバ３０の画像配信機能を利用するための専用アプリケーションがインストールされていないＭＦＰが接続されていても良い。また、電子メールを送信するためのＳＭＴＰサーバなどが接続されていても良い。
【００２６】
次に、実施例１に係るＭＦＰ１０と画像処理サーバ３０とのハードウェア構成について説明する。図２は、実施例１に係るＭＦＰのハードウェア構成の一例を示す図である。
【００２７】
図２に示すように、ＭＦＰ１０は、制御部１１、主記憶部１２、補助記憶部１３、外部記憶装置Ｉ／Ｆ部１４、ネットワークＩ／Ｆ部１６、操作部１７、表示部１８を含む。
【００２８】
制御部１１は、コンピュータの中で、各装置の制御やデータの演算、加工を行うＣＰＵである。また、制御部１１は、主記憶部１２に記憶されたプログラムを実行する演算装置であり、入力装置や記憶装置からデータを受け取り、演算、加工した上で、出力装置や記憶装置に出力する。
【００２９】
主記憶部１２は、ＲＯＭ（Read Only Memory）やＲＡＭ（Random Access Memory）などであり、制御部１１が実行する基本ソフトウェアであるＯＳやアプリケーションソフトウェアなどのプログラムやデータを記憶又は一時保存する記憶装置である。
【００３０】
補助記憶部１３は、ＨＤＤ（Hard Disk Drive）などであり、アプリケーションソフトウェアなどに関連するデータを記憶する記憶装置である。
【００３１】
外部記憶装置I／F部１４は、ＵＳＢ（Universal Serial Bus）などのデータ伝送路を介して接続された記憶媒体１５（例えば、フラッシュメモリなど）と当該画像処理サーバとのインタフェースである。
【００３２】
また、記憶媒体１５に、所定のプログラムを格納し、記憶媒体１５に格納されたプログラムは外部記憶装置Ｉ／Ｆ部１４を介してＭＦＰ１０にインストールされ、インストールされた所定のプログラムはＭＦＰ１０により実行可能となる。
【００３３】
ネットワークＩ／Ｆ部１６は、有線及び／又は無線回線などのデータ伝送路により構築されたＬＡＮ（Local Area Network）、ＷＡＮ（Wide Area Network）などのネットワークを介して接続された通信機能を有する周辺機器と当該ＭＦＰ１０とのインタフェースである。
【００３４】
操作部１７や表示部１８は、キースイッチ（ハードキー）とタッチパネル機能（ＧＵＩのソフトウェアキーを含む：Graphical User Interface）を備えたＬＣＤ（Liquid Crystal Display）とから構成され、ＭＦＰ１０が有する機能を利用する際のＵＩ（User Interface）として機能する表示及び／又は入力装置である。
【００３５】
図３は、実施例１に係る画像処理サーバのハードウェア構成の一例を示す図である。図３に示すように、画像処理サーバ３０は、制御部３１、主記憶部３２、補助記憶部３３、外部記憶装置Ｉ／Ｆ部３４、ネットワークＩ／Ｆ部３６を含む。
【００３６】
制御部３１は、コンピュータの中で、各装置の制御やデータの演算、加工を行うＣＰＵである。また、制御部３１は、主記憶部３２に記憶されたプログラムを実行する演算装置であり、入力装置や記憶装置からデータを受け取り、演算、加工した上で、出力装置や記憶装置に出力する。
【００３７】
主記憶部３２は、ＲＯＭ（Read Only Memory）やＲＡＭ（Random Access Memory）などであり、制御部３１が実行する基本ソフトウェアであるＯＳやアプリケーションソフトウェアなどのプログラムやデータを記憶又は一時保存する記憶装置である。
【００３８】
補助記憶部３３は、ＨＤＤ（Hard Disk Drive）などであり、アプリケーションソフトウェアなどに関連するデータを記憶する記憶装置である。
【００３９】
外部記憶装置I／F部３４は、ＵＳＢ（Universal Serial Bus）などのデータ伝送路を介して接続された記憶媒体１５（例えば、フラッシュメモリなど）と当該画像処理サーバとのインタフェースである。
【００４０】
また、記憶媒体１５に、所定のプログラムを格納し、記憶媒体１５に格納されたプログラムは外部記憶装置Ｉ／Ｆ部３４を介して画像処理サーバ３０にインストールされ、インストールされた所定のプログラムは画像処理サーバ３０により実行可能となる。
【００４１】
ネットワークＩ／Ｆ部３６は、有線及び／又は無線回線などのデータ伝送路により構築されたＬＡＮ（Local Area Network）、ＷＡＮ（Wide Area Network）などのネットワークを介して接続された通信機能を有する周辺機器と当該画像処理サーバとのインタフェースである。
【００４２】
なお、図３に示す画像処理サーバ３０は、入力部及び出力部を備えていないが、かかる場合は、ネットワークを介して接続された情報処理端末を用いてデータを入力したり、表示したりする。また、画像処理サーバ３０自体に入力部や出力部を設ける構成にしても良い。
【００４３】
＜機能構成＞
次に、実施例１に係る画像処理システムの機能構成について説明する。図４は、実施例１におけるシステムの機能構成を説明するブロック図である。図４に示すＭＦＰ１０は、読み込んだ画像データをＳＭＢ(Server Message Block)プロトコルを利用して共有フォルダ２０１に出力する機能を有するデータ出力部１０１を含む。
【００４４】
ファイルサーバ２０は、ＭＦＰ１０などから入力される画像データを格納する共有フォルダ２０１（格納手段）を有する。共有フォルダ２０１は１つに限られず、複数あっても良い。
【００４５】
画像処理サーバ３０は、ＵＩ（ＵＩ：User Interface）制御部３０１、データ入力部３０２、データ処理部３０３、データ出力部３０４、フロー制御部３０５を含む。ＵＩ制御部３０１は、後述するデータ入力部３０２、データ処理部３０３、データ出力部３０４に対する設定を行うためのＵＩを制御する機能を有する。
【００４６】
データ入力部３０２は、共有フォルダ２０１を監視して共有フォルダ２０１に格納された画像データのファイルを取得し、フロー制御部３０５に出力する。また、データ入力部３０２は、ＨｏｔＦｏｌｄｅｒ機能として動作する。
【００４７】
データ処理部３０３は、フロー制御部３０５から入力された画像データに対して画像変換を行ったり、加工を行ったりする。データ処理部３０３は、具体的には、ＯＣＲ処理や、ＰＤＦ変換、画像変換、バーコード認識などの処理を行う。
【００４８】
データ出力部３０４は、フロー制御部３０５から入力された画像データを画像管理サーバ４０などの外部装置に出力（配信）する。データ出力部３０４は、フォルダ配信（ＳＭＢを使ってフォルダへファイルを書き出す機能）、メール配信（ＳＭＴＰを使ってファイルを添付したメールを送信する機能）、ＦＴＰ配信（ＦＴＰを使ってフォルダへファイルを書き出す機能）、画像管理サーバ４０への登録などを行う。
【００４９】
また、データ出力部３０４が、画像管理サーバ４０にデータを出力する方式としては、画像管理サーバ４０が用意しているＩ／Ｆを用いる。たとえば、Ｍｉｃｒｏｓｏｆｔ  Ｏｆｆｉｃｅ  ＳｈａｒｅＰｏｉｎｔ  ＳｅｒｖｅｒではＷｅｂサービスが公開されており、ＳＯＡＰ（Simple Object Access Protocol）を用いることでデータをアップロードすることが可能となる。データ出力部３０４は、出力先に応じた処理が必要となるため、出力先により異なった設計が必要となる。
【００５０】
フロー制御部３０５は、画像データ、画像データの書誌情報を管理し、ＵＩ制御部３０１、データ入力部３０２、データ処理部３０３、データ出力部３０４に対するデータ入出力の制御を行う。また、フロー制御部３０５は、データ入力部３０２から通知される処理フローにしたがって、データ入力部３０２、データ処理部３０３、データ出力部３０４の順にデータの入出力を行ってデータ処理（配信処理）の制御を行う。
【００５１】
ここで、処理フローについて説明する。処理フローとは、データ処理部３０３、データ出力部３０４を任意に組み合わせることによって形成されるフローのことを言う。また、処理フローのことをプロジェクトとも呼ぶことにする。
【００５２】
図５は、プロジェクトの一例を示す図である。図５に示す例では、左端の起点はデータ入力部３０２を示し、ＨｏｔＦｏｌｄｅｒ機能を有する。図５に示す各矩形は、データ処理部３０３あるいはデータ出力部３０４を示し、起点や矩形を結ぶ線がフロー制御部３０５によって次にデータが渡されることを示す。
【００５３】
また、処理フローは分岐することも可能であり、分岐の両方のパスに同じデータが渡される。プロジェクトは、当該プロジェクトを一意に示す識別子が付与される。また、図５に示す点線Ａで囲った処理がデータ処理部３０３による処理で、点線Ｂで囲った処理がデータ出力部３０４による処理を示す。
【００５４】
次に、データ入力部３０２の詳細な機能について説明する。図６は、データ入力部３０２の詳細な機能の一例を示すブロック図である。図６に示すように、データ入力部３０２は、フォルダ監視部３２１、ファイル取得部３２２、ファイル出力部３２３、ＵＩ制御部３２４、ライセンス管理３２６、監視設定管理部３２７、動作制御部３２９を含む。
【００５５】
フォルダ監視部３２１は、監視設定管理部３２７により監視設定された共有フォルダ２０１（以下、監視フォルダともいう）を監視し、画像データのファイルが格納されたかどうかを検知する。
【００５６】
ファイル取得部３２２は、共有フォルダ２０１から画像データのファイルを取得し、取得したデータを動作制御部３２９に出力する。ファイル出力部３２３は、動作制御部３２９から取得したデータをフロー制御部３０５に出力する。このとき、ファイル出力部３２３は、監視フォルダに対応するプロジェクトを指定して、データを出力する。
【００５７】
ＵＩ制御部３２４は、共有フォルダの監視設定を行うためのＵＩを制御する。また、ＵＩ制御部３２４は、フォルダ設定部３２５を含む。フォルダ設定部３２５は、どの共有フォルダ２０１から画像データを取得するかの設定や、どの共有フォルダ２０１にどの処理フロー（プロジェクト）を割り当てるかの設定を行うためのＵＩを制御する。
【００５８】
図７は、監視設定画面の一例を示す図である。ＵＩ制御部３２４により図７に示すようなＵＩが表示される。図７に示す監視設定画面の例では、監視する複数の共有フォルダのパスと各共有フォルダに対応するプロジェクトの識別子を設定する。
【００５９】
また、図７に示す画面中央に表示されるリストでは、リストの１行が監視する共有フォルダと共有フォルダに対応するプロジェクトとの組み合わせを示す。図７に示す例では、リストの行の左側に監視する共有フォルダのパス、右側にプロジェクト名（プロジェクト識別子として用いることが可能）を指定することができる。実施例１では、ライセンス管理部３２６により管理される許可数まで複数の共有フォルダを設定することが許される。なお、図７に示す例では、共有フォルダとプロジェクトとは１対１であるが、この対応関係に限定されることはなく、複数対１などでも良い。
【００６０】
図６に戻り、ライセンス管理部３２６は、インストールされたプログラム（商品）のシリアル番号を管理する。プログラムは、ＨｏｔＦｏｌｄｅｒに関する機能をコンピュータに実行させるためのプログラムである。ライセンス管理部３２６は、管理するシリアル番号の数によって、監視を許可するフォルダ数（許可フォルダ数ともいう）を算出し、算出した許可フォルダ数を管理する。
【００６１】
なお、商品のシリアル番号とは、ユーザが購入した商品に個別に付与される番号である。通常ソフトウェア商品の場合にはソフトウェアをインストールするときにシリアル番号を入力させることで、当該ソフトウェアがライセンスされた正しいユーザであることの識別に使われることが多い。
【００６２】
監視設定管理部３２７は、共有フォルダ２０１の監視設定を管理し、図７に示す監視設定画面で設定されたリスト（監視設定リストともいう）のデータ構造を保持する。また、監視設定管理部３２７は、監視設定部３２８を含む。監視設定部３２８は、監視するために設定された共有フォルダの数が、ライセンス管理部３２６により管理される許可フォルダ数以内であれば、そのまま監視フォルダとして設定する。一方、監視設定部３２８は、監視するために設定された共有フォルダの数が、許可フォルダ数を超えていれば、ユーザに対してエラー表示を行う。
【００６３】
動作制御部３２９は、前述した各部のデータの入出力を制御したり、各部の動作を制御したりする。
【００６４】
以上の機能構成により、ＨｏｔＦｏｌｄｅｒ機能を用いる画像処理システムにおいて、いかなる画像入力機器が接続されているかは関係なく、ライセンス管理部３２６により管理される許可フォルダ数を超える共有フォルダ数が用いられることを制限することができる。また、共有フォルダとプロジェクトが１対１で対応する場合は、ＨｏｔＦｏｌｄｅｒ機能を用いるプロジェクトの数を制限することも可能になる。
【００６５】
＜動作＞
次に、実施例１における画像処理システムの動作について説明する。
（監視フォルダ設定）
まず、監視フォルダの設定処理について説明する。図８は、実施例１における監視フォルダ設定処理の一例を示すフローチャートである。
【００６６】
図８に示すように、ステップＳ１１において、ＵＩ制御部３２４は、監視フォルダ設定ＵＩ（図７参照）を表示画面に表示する。
【００６７】
ステップＳ１２において、ユーザが監視フォルダを設定し、設定した監視フォルダに対応するプロジェクトも設定し、図７に示す「ＯＫボタン」を押下したことを、ＵＩ制御部３２４が検知する。つまり、ＵＩ制御部３２４は、監視設定が確定されたことを検知する。
【００６８】
ステップＳ１３において、監視設定管理部３２７は、設定された監視フォルダの数を算出する。具体的には、監視設定リストに設定された行をカウントすることで、設定されたフォルダの数を算出することができる。ここでは、設定された監視フォルダの数をＸとする。
【００６９】
ステップＳ１４において、ライセンス管理部３２６は、管理するシリアル番号の数を用いて許可された監視フォルダの数（許可フォルダ数）を算出する。具体的には、シリアル番号１つに対して、所定値Ａのフォルダ数が許可されている場合、ライセンス管理部３２６により管理するシリアル番号の数がｎだとすると、Ａ×ｎが許可フォルダ数となる。所定値Ａは、例えば４である。
【００７０】
なお、ここでは許可フォルダ数をＹとする。また、許可フォルダ数は、その都度算出されるのではなく、事前に算出してライセンス管理部３２６が保持しておくことで、保持された許可フォルダ数が参照されるようにしても良い。
【００７１】
ステップＳ１５において、監視設定管理部３２７は、設定された監視フォルダの数（Ｘ）が、許可フォルダ数（Ｙ）以下であるか否かを判定する。ステップＳ１５における判定結果がＹＥＳ（Ｘ≦Ｙ）である場合、ステップＳ１７に進み、判定結果がＮＯ（Ｘ＞Ｙ）である場合、ステップＳ１６に進む。
【００７２】
ステップＳ１６において、監視設定管理部３２７は、エラー表示を行うようＵＩ制御部３２４に指示する。ＵＩ制御部３２５がエラー表示を行なった後は、再度監視フォルダの設定画面（図７参照）が表示されるようにすると良い。
【００７３】
ステップＳ１７において、監視設定管理部３２７は、設定された監視フォルダを保存する。これにより、許可フォルダ数以上の共有フォルダが監視フォルダとして設定されることを防ぐことができる。
【００７４】
（ファイル監視）
次に、ファイル監視処理について説明する。図９は、実施例１におけるファイル監視処理の一例を示すフローチャートである。
【００７５】
図９に示すように、ステップＳ２１において、フォルダ監視部３２１は、監視フォルダを監視し、監視フォルダに画像データのファイルが格納されたか否かを判定する。ステップＳ２１において、判定結果がＹＥＳ（ファイル検知）である場合ステップＳ２２に進み、判定結果がＮＯ（ファイル未検知）である場合ステップＳ２１に戻る。
【００７６】
ステップＳ２２において、ファイル取得部３２２は、監視フォルダに格納された画像データのファイルを取得する。
【００７７】
ステップＳ２３において、動作制御部３２９は、監視設定管理部３２７に管理される監視設定リストを参照して、監視フォルダに対応するプロジェクトを特定する。
【００７８】
ステップＳ２４において、ファイル出力部３２３は、動作制御部３２９により特定されたプロジェクトを指定して、ファイルをフロー制御部３０５に出力する。これにより、フロー制御部３０５は、ファイル出力部３２３により指定されたプロジェクトに従って、画像データを配信処理することができる。
【００７９】
（インストール処理）
次に、ＨｏｔＦｏｌｄｅｒ機能を実現するソフトウェア商品のインストール処理について説明する。図１０は、実施例１におけるソフトウェアインストール処理の一例を示すフローチャートである。なお、図１０に示す処理は、前述したソフトウェアのインストーラが実行する処理内容である。また、インストーラは制御部３１により実行可能である。
【００８０】
図１０に示すように、ステップＳ３１において、インストーラを用いてユーザはシリアル番号を入力する。ステップＳ３２において、インストーラは、入力されたシリアル番号が正規の番号であるか否かを判定する。ステップＳ３２における処理は従来の手法を用いれば実現できるため説明を省略する。ステップＳ３２の判定結果がＹＥＳ（正規）である場合ステップＳ３３に進み、判定結果がＮＯ（非正規）である場合、処理を終了する。
【００８１】
ステップＳ３３において、インストーラは、入力されたシリアル番号に対応するソフトウェアは既にインストールされているか否かを判定する。ステップＳ３３における判定結果がＹＥＳ（インストール済）である場合ステップＳ３４に進み、判定結果がＮＯ（未インストール）である場合ステップＳ３６に進む。
【００８２】
ステップＳ３４において、インストーラは、今回入力されたシリアル番号と、前回までに入力されたシリアル番号とを比較する。前回までに入力されたシリアル番号は、ライセンス管理部３２６により保持されるとする。
【００８３】
ステップＳ３５において、インストーラは、同じシリアル番号があるか否かを判定する。ステップＳ３５の判定結果がＹＥＳ（同じシリアル番号あり）である場合インストール処理を終了し、判定結果がＮＯ（同じシリアル番号なし）である場合ステップＳ３７に進む。
【００８４】
ステップＳ３６において、インストーラは、ソフトウェアの新規インストール処理を実行する。ステップＳ３７において、インストーラは、今回入力されたシリアル番号をライセンス管理部３２６に追加保存する。
【００８５】
これにより、新たなソフトウェアのインストールによりシリアル番号が追加されるため、許可フォルダ数を増加させることができる。
【００８６】
以上、実施例１によれば、ＨｏｔＦｏｌｄｅｒ機能を用いる画像処理システムにおいて、いかなる画像入力機器が接続されているかは関係なく、ライセンス管理部３２６により管理される許可フォルダ数を超える共有フォルダ数を用いることを制限することができる。また、共有フォルダとプロジェクトが１対１で対応する場合は、ＨｏｔＦｏｌｄｅｒ機能を用いるプロジェクトの数を制限することも可能になる。また、新たなソフトウェアをインストールすることにより許可フォルダ数を増加させることができる。
【００８７】
［実施例２］
次に、実施例２に係る画像処理システムについて説明する。実施例２では、画像データに関するデータを用いて、所定期間内に監視ファイルから取得するファイルを制限する。画像データに関するデータとは、例えば、ファイル数、ファイルサイズ、ファイルのページ数などである。
【００８８】
＜機能構成＞
次に、実施例２に係る画像処理システムの機能構成について説明する。図１１は、実施例２におけるシステムの機能構成を説明するブロック図である。図１１に示す機能において、図６に示す機能と同様の機能を示すものは同じ符号を付し、その説明を省略する。
【００８９】
データ入力部５０１は、フォルダ監視部３２１、ファイル取得部３２２、ファイル出力部３２３、ＵＩ制御部３２４、ライセンス管理部５１２、処理ファイル管理部５１１、監視設定管理部３２７、動作制御部５１３を含む。以下、処理ファイル管理部５１１、ライセンス管理部５１２、動作制御部５１３について説明する。
【００９０】
処理ファイル管理部５１１は、所定期間内にファイル取得部３２２により取得された画像データに関するデータを集計する。所定期間とは例えば１日である。処理ファイル管理部５１１は、１日で取得された画像データに関するデータ（ファイルの総数、ファイルサイズの総数、ファイルのページ総数）の合計を算出する。
【００９１】
また、処理ファイル管理部５１１（判定手段）は、算出した合計値がライセンス管理部３２６により管理される上限値を超えるか否かを判定する。上限値を超えた場合は、処理ファイル管理部５１１は、フォルダ監視部３２１の監視を停止するよう動作制御部５１３に指示する。また、処理ファイル管理部５１１は、所定期間経過毎に合計値をクリアし、監視が停止されている場合は監視を再開するよう動作制御部５１３に指示する。
【００９２】
ライセンス管理部５１２は、所定期間内に処理できるファイルの上限値を決定するための所定値を保持する。所定値は、シリアル番号の種類毎に異なる値でも良いし、固定値としても良い。例えば、ソフトウェアの商品の種類が３種類だとし、それぞれの所定値をＢ、Ｃ、Ｄとする。また、各商品の種類毎にそれぞれｌ、ｍ、ｎ個のシリアル番号がライセンス管理部３２６に保持されているとする。かかる場合の所定期間内に処理できるファイルの上限値は、Ｂ×ｌ＋Ｃ×ｍ＋Ｄ×ｎである。所定値が固定値の場合は、ライセンス管理部３２６に保持されるシリアル番号の数と固定値を単純に乗算することにより上限値を算出することができる。
【００９３】
以下では、説明を簡単にするため、所定値は固定値として説明する。画像データに関するデータがファイルの総数の場合は、固定値は例えば１００個である。また、画像データに関するデータがファイルのサイズ総数の場合は、固定値は例えば５００Ｍ（メガ）である。また、画像データに関するデータがファイルのページ数の場合は、固定値は例えば１００ページである。
【００９４】
動作制御部５１３は、実施例１の機能に加えて、処理ファイル管理部５１１から監視を停止する指示を受けた場合、フォルダ監視部３２１の監視を停止するよう制御する。また、動作制御部５１３は、処理ファイル管理部５１１から監視を再開するよう指示を受けた場合は、フォルダ監視部３２１の監視を再開するよう制御する。
【００９５】
なお、動作制御部５１３は、処理ファイル管理部５１１から監視を停止する指示を受けた場合、監視を停止するのではなく、ファイル取得部３２２のファイル取得を停止するようにしても良い。
【００９６】
＜動作＞
次に、実施例２におけるファイル監視処理について説明する。
（ファイル総数）
図１２は、実施例２におけるファイル監視処理（ファイル総数）の一例を示すフローチャートである。図１２に示す処理において、図９に示す処理と同様の処理を行うものは同じ符号を付し、その説明を省略する。
【００９７】
ステップＳ４１において、処理ファイル管理部５１１は、所定期間内にファイル取得部３２２により取得されたファイルの総数を算出する。
【００９８】
ステップＳ４２において、ライセンス管理部５１２は、所定期間内に処理できるファイルの数（許可ファイル数）Ｙを算出する。なお、許可ファイル数Ｙについては、その都度算出する必要はなく、予め算出しておいて保持しておき、保持した値が参照されるようにすれば良い。
【００９９】
ステップＳ４３において、処理ファイル管理部５１１は、ファイルの総数Ｘが許可ファイル数Ｙ以下であるか否かを判定する。ステップＳ４３の判定結果がＹＥＳ（Ｘ≦Ｙ）である場合ステップＳ４４に進み、判定結果がＮＯ（Ｘ＞Ｙ）である場合ステップＳ４６に進む。
【０１００】
ステップＳ４４において、ファイル出力部３２３は、プロジェクトを指定して画像データをフロー制御部３０５に出力する。プロジェクトの指定については、ファイルを取得した監視フォルダに対応するプロジェクトを指定する。
【０１０１】
ステップＳ４５において、処理ファイル管理部５１１は、所定期間（例えば１日）が経過したか否かを判定する。ステップＳ４５における判定結果がＹＥＳ（所定期間経過）である場合ステップＳ４８に進み、判定結果がＮＯ（所定期間未経過）である場合ステップＳ２１に戻る。
【０１０２】
ステップＳ４６において、処理ファイル管理部５１１は、動作制御部５１３に対して、フォルダ監視部３２１の監視を停止するよう指示する。これにより、動作制御部５１３は、フォルダ監視部３２１の監視を停止するよう制御する。
【０１０３】
ステップＳ４７において、処理ファイル管理部５１１は、所定期間が経過するのを待機する。なお、ステップＳ４５とステップＳ４７における所定期間は同じとする。ステップＳ４８において、処理ファイル管理部５１１は、所定期間が経過するとＸをリセットし、ステップＳ２１に戻る。
【０１０４】
これにより、監視フォルダに格納された画像データに対して、所定期間内に画像処理システムで処理できるファイル数を制限することができる。また、所定期間が経過すると再度ファイルの配信処理が可能となる。
【０１０５】
（ファイルのサイズ総数）
図１３は、実施例２におけるファイル監視処理（ファイルサイズ総数）の一例を示すフローチャートである。図１３に示す処理において、図９、図１２に示す処理と同様の処理を行うものは同じ符号を付し、その説明を省略する。
【０１０６】
ステップＳ５１において、処理ファイル管理部５１１は、所定期間内にファイル取得部３２２により取得されたファイルのサイズ総数を算出する。ファイルサイズについては、ファイルのフォーマットを参照することで取得することができる。
【０１０７】
ステップＳ５２において、ライセンス管理部５１２は、所定期間内に処理できるファイルサイズの総数（許可サイズ数）Ｙを算出する。なお、許可サイズ数Ｙについては、その都度算出する必要はなく、予め算出しておいて保持しておき、保持した値が参照されるようにすれば良い。
【０１０８】
これにより、監視フォルダに格納された画像データに対して、所定期間内に画像処理システムで処理できるファイルのサイズ数を制限することができる。
【０１０９】
（ファイルのページ総数）
図１４は、実施例２におけるファイル監視処理（ファイルページ総数）の一例を示すフローチャートである。図１４に示す処理において、図９、図１２に示す処理と同様の処理を行うものは同じ符号を付し、その説明を省略する。
【０１１０】
ステップＳ６１において、処理ファイル管理部５１１は、所定期間内にファイル取得部３２２により取得されたファイルのページ総数を算出する。ファイルページについては、ファイルのフォーマットを参照することで取得することができる。つまり、ファイルのフォーマットは共有フォルダが参照可能なフォーマットであることを前提する。例えばＴＩＦＦやＰＤＦなどは共有フォルダで参照可能とする。
【０１１１】
ステップＳ６２において、ライセンス管理部５１２は、所定期間内に処理できるファイルページの総数（許可ページ数）Ｙを算出する。なお、許可ページ数Ｙについては、その都度算出する必要はなく、予め算出しておいて保持しておき、保持した値が参照されるようにすれば良い。
【０１１２】
これにより、監視フォルダに格納された画像データに対して、所定期間内に画像処理システムで処理できるファイルのページ数を制限することができる。
【０１１３】
また、実施例２において、所定期間内に処理できる上限値を増加させたい場合は、図１０で説明した処理同様、購入したソフトウェアをインストールすればよい。
【０１１４】
以上、実施例２によれば、ＨｏｔＦｏｌｄｅｒ機能を用いる画像処理システムにおいて、いかなる画像入力機器が接続されているかは関係なく、所定期間内に処理できるファイルの上限値を用いて共有フォルダに格納された画像データの処理数を制限することができる。
【０１１５】
［変形例］
次に前述した各実施例の変形例について説明する。変形例では、前述した画像処理サーバ３０が組み込まれた画像形成装置について説明する。画像処理サーバ３０が組み込まれた画像形成装置の各機能は、一般的な画像形成装置の機能と画像処理サーバ３０の機能とを組み合わせた機能を有する。これより、変形例に係る画像形成装置によれば、ＭＦＰ単体で、各実施例に示した処理を行なうことができる。
【０１１６】
なお、各実施例の画像処理サーバは、ＣＰＵなどの制御装置と、ＲＯＭ（Read Only Memory）やＲＡＭなどの記憶装置と、ＨＤＤ、ＣＤドライブ装置などの外部記憶装置などの装置を備えており、ワークステーションや通常のコンピュータを利用したハードウェア構成となっている。
【０１１７】
各実施例の画像処理サーバや変形例のＭＦＰで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１１８】
また、各実施例の画像処理サーバや変形例のＭＦＰで実行されるプログラムを、インターネット等のネットワークに接続されたコンピュータ上に格納し、ネットワーク経由でダウンロードさせることにより提供するように構成しても良い。また、各実施例の画像処理サーバや変形例のＭＦＰで実行されるプログラムをインターネット等のネットワーク経由で提供または配布するように構成しても良い。
【０１１９】
また、各実施例の画像処理サーバや変形例のＭＦＰで実行されるプログラムを、ＲＯＭ等に予め組み込んで提供するように構成してもよい。
【０１２０】
各実施例の画像処理サーバや変形例のＭＦＰで実行されるプログラムは、前述した各手段を含むモジュール構成となっており、実際のハードウェアとしてはＣＰＵ（プロセッサ）が上記記憶媒体からプログラムを読み出して実行することにより上記各手段が主記憶装置上にロードされ、上記各手段が主記憶装置上に生成されるようになっている。
【０１２１】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。さらに、異なる実施例にわたる構成要素を適宜組み合わせても良い。例えば、実施例１と実施例２とを組み合わせた場合、監視フォルダの数を制限しつつ、監視フォルダ毎に処理できるファイルの数やサイズやページ数を制限することが可能となる。
【符号の説明】
【０１２２】
１０  ＭＦＰ
２０  ファイルサーバ
３０  画像処理サーバ
４０  画像管理サーバ
１０１  データ出力部
２０１  共有フォルダ
３０１  ＵＩ制御部
３０２  データ入力部
３０３  データ処理部
３０４  データ出力部
３０５  フロー制御部
３２１  フォルダ監視部
３２２  フォルダ取得部
３２３  ファイル出力部
３２４  ＵＩ制御部
３２５  フォルダ設定部
３２６  ライセンス管理部
３２７  監視設定管理部
３２８  監視設定部
５１１  処理ファイル管理部
【先行技術文献】
【特許文献】
【０１２３】
【特許文献１】特開２００６−０１８６４０号公報
【特許文献２】特開２００５−３５２９０２号公報
【図１】
2010278923.tif 000003
【図２】
2010278923.tif 000004
【図３】
2010278923.tif 000005
【図４】
2010278923.tif 000006
【図５】
2010278923.tif 000007
【図６】
2010278923.tif 000008
【図７】
2010278923.tif 000009
【図８】
2010278923.tif 000010
【図９】
2010278923.tif 000011
【図１０】
2010278923.tif 000012
【図１１】
2010278923.tif 000013
【図１２】
2010278923.tif 000014
【図１３】
2010278923.tif 000015
【図１４】
2010278923.tif 000016